(57)【要約】      （修正有）【課題】宿便または膣内部を洗浄するポータブル型洗浄機の洗浄専用水桶において、洗浄機に供給される洗浄用水を、不純物を除去し一定温度に維持し、身体に供給する。【解決手段】洗浄機１００に洗浄用水を供給する洗浄用水桶において、前記水桶１は、上部に、ヒンジ軸２に結合されて開閉される蓋３を備え、中間部に、取っ手用溝４、電源５、温度調節スイッチ６及び温度計器盤７を備えた洗浄用水桶本体外皮８と、この洗浄用水桶本体外皮８内部に挿入装着され、ろ過フィルター９を備えたろ過水桶１０と、前記ろ過フィルター９の下面に接触してこのろ過水桶１０から供給される水を加熱するヒーター部１１、及び水位及び水温を点検する水位センサー１２及び温度センサー１３などが設置され、洗浄機１００の洗浄用水供給ホース１０１に連結される洗浄用水ドレイン通路１４が備えられ、前記洗浄用水桶本体外皮８の下部に設置される水桶着座支持部１５と、を備える。【選択図】図２
0003124267.tif 000002
【実用新案登録請求の範囲】
【請求項１】
大腸または膣内部を洗浄する洗浄機に洗浄用水を供給する洗浄用水桶において、前記洗浄用水桶は、上部に、ヒンジ軸に結合されて開閉される蓋を備え、中間部に、取っ手用溝、電源、温度調節スイッチ及び温度計器盤を備えた洗浄用水桶本体外皮と、この洗浄用水桶本体外皮内部に挿入装着され、ろ過フィルターを備えたろ過水桶と、前記ろ過フィルターの下面に接触して前記ろ過水桶から供給される水を加熱するヒーター部、及び水位及び水温を点検する水位センサー及び温度センサーが設置され、洗浄機の洗浄用水供給ホースに連結される洗浄用水ドレイン通路が備えられ、前記洗浄用水桶本体外皮の下部に設置される水桶着座支持部と、から構成されることを特徴とするポータブル型洗浄機の洗浄用水桶。
【請求項２】
前記洗浄用水桶本体外皮には、その内部に着脱自在に装着されるろ過水桶の水位を目視できる水位確認窓が取り付けられており、前記水桶着座支持部に設置された洗浄用水ドレイン通路の末端には、洗浄機の洗浄用水供給ホースが連結されるワンタッチカップリングが設置されることを特徴とする請求項１に記載のポータブル型洗浄機の洗浄用水桶。
【請求項３】
前記水桶着座支持部に設置されたヒーター部には、過熱防止用バイメタルが連結されていることを特徴とする請求項１に記載のポータブル型洗浄機の洗浄用水桶。
【請求項４】
前記洗浄用水桶本体外皮の内部には、ろ過水桶のろ過フィルターを通って供給される水中の有害菌を殺菌できるように銀メッキされた洗浄用水桶本体が装着されることを特徴とする請求項１に記載のポータブル型洗浄機の洗浄用水桶。
【請求項５】
前記洗浄用水桶に洗浄用水供給ホースを介して連結される洗浄機は、洗浄用水供給胴体のフランジに一体に連結され、ノズル注入部は、洗浄用水供給胴体に連結される洗浄用水供給ホースの末端に連結されており、この洗浄用水供給胴体の流入通路と連通する洗浄用水流出通路の下部側には、手動エアポンプが装着されることを特徴とする、請求項１に記載のポータブル型洗浄機の洗浄用水桶。
【請求項６】
前記ノズル注入部の先端には洗浄用水を供給する穴が複数個形成されていることを特徴とする、請求項５に記載のポータブル型洗浄機の洗浄用水桶。
【考案の詳細な説明】
【技術分野】
【０００１】
本考案は、人間の大腸壁に付着した宿便、または女性の膣内部の付着物、残留物を洗浄するポータブル型洗浄機に装備される洗浄用水桶に係り、より詳細には、洗浄機に供給される洗浄用水を、不純物を除去し一定温度に維持して無害な状態で身体に供給できるようにしたポータブル型洗浄機の洗浄用水桶に関する。
【背景技術】
【０００２】
周知の如く、人間の大腸は、水分を調節し、電解質を維持し、細菌作業によって摂取した食べ物を便にする機能を担うが、このような機能が十分に発揮されないと、体内に有害成分と毒素が蓄積されて腸が麻痺し、老化血管が破裂または膨脹する結果、大腸癌、大膓炎、過敏性大腸症候群、大腸潰瘍、痔疾のような腸疾患の他、便泌、下痢、消化不良、細い便、下腹部のガス満など各種の腸疾患を招き細菌の温床となってしまう。
要するに、腸内に老廃物が溜まると、腸が麻痺して腸機能の障碍、皮膚老化などの各種疾病につながる。このような問題を根本的に解決する方法には、腸洗浄機を用いて腸内の老廃物を洗浄・除去して各種の腸疾患を予防する方法があり、近来、このような腸洗浄機は、腸内の宿便による毒素を除去して各種腸疾患を予防及び治療するのに優れた効果を発揮することが知られ、広く使用されている。
例えば、本出願人によって提案された大韓民国登録実用新案第３３８１４６号及び第３４２５７０号におけるポータブル型洗浄機は、使用上負担がなく、より簡単で便利に使用できるという利点がある。
【特許文献１】大韓民国登録実用新案第３３８１４６号
【特許文献２】大韓民国登録実用新案第３４２５７０号
【考案の開示】
【考案が解決しようとする課題】
【０００３】
しかしながら、上記のポータブル型洗浄機は、洗浄用水を供給する際に別の容器に水を入れて供給するため外観がよくないし、供給される洗浄用水に不純物が侵入することから衛生学的にも好ましくなく、また、使い勝手も不便であった。
本考案は上記の従来問題点を解決するためのもので、その目的は、患者または使用者が大腸または膣内部を洗浄する際に使用するポータブル型洗浄機に供給される洗浄用水中の不純物を除去すると共に、注入される水の温度などを適度に調節して供給できるポータブル型洗浄機専用の洗浄用水桶を提供することにある。
【課題を解決するための手段】
【０００４】
上記の目的を達成するための本考案は、大腸または膣内部を洗浄する洗浄機に洗浄用水を供給する洗浄用水桶であって、前記水桶は、上部に、ヒンジ軸に結合されて開閉される蓋を備え、中間部に、取っ手用溝、電源、温度調節スイッチ及び温度計器盤を備えた洗浄用水桶本体外皮と、この洗浄用水桶本体外皮内部に挿入装着され、ろ過フィルターを備えたろ過水桶と、前記ろ過フィルターの下面に接触してこのろ過水桶から供給される水を加熱するヒーター部、及び水位及び水温を点検する水位センサー及び温度センサーなどが設置され、洗浄機の洗浄用水供給ホースに連結される洗浄用水ドレイン通路が備えられ、前記洗浄用水桶本体外皮の下部に設置される水桶着座支持部と、から構成される。
【考案の効果】
【０００５】
本考案によるポータブル型洗浄機の洗浄用水桶は、供給される水をろ過及び殺菌処理し且つ適切温度にして腸内部と膣内部を洗浄できるだけでなく、外観が洗練されていて使用者に負担感を与えることなく、コンパクトなために携帯及び保管が簡便なため、ポータブル型洗浄機専用の水桶としての機能を充分に発揮できる。
【考案を実施するための最良の形態】
【０００６】
以下、本考案の好適な実施形態を、添付の図面に基づいて詳細に説明する。
図１乃至図３は、本考案によるポータブル型洗浄機の洗浄用水桶を示す側面図と断面図、及びろ過水桶を除去した状態で蓋を開いた様子を示す平面図である。
本考案は、大腸または膣内部を洗浄できる洗浄機１００に洗浄用水を供給する洗浄用水桶であって、この洗浄用水桶１は、上部に、ヒンジ軸２に結合されて開閉される蓋３を備え、中間部外面に、取っ手用溝４、電源５、温度調節スイッチ６及び温度計器盤７を備えた洗浄用水桶本体外皮８と、この洗浄用水桶本体外皮８内部に挿入装着され、ろ過フィルター９を備えたろ過水桶１０と、ろ過フィルター９の下面に接触してろ過水桶１０から供給される水を加熱するヒーター部１１、及び水位及び水温を点検する水位センサー１２及び温度センサー１３などが設置され、洗浄機１００から延びる洗浄用水供給ホース１０１に連結される洗浄用水ドレイン通路１４が備えられ、洗浄用水桶本体外皮８の下部に設置される水桶着座支持部１５と、から構成される。
【０００７】
ここで、ヒンジ式に開閉される透明材質の蓋３を備えた洗浄用水桶本体外皮８には、その内部に着脱自在に装着されるろ過水桶１０の水量を目視できる水位確認窓１６が設けられており、水桶着座支持部１５に設置されたドレイン通路１４の末端には、後述する洗浄機１００の洗浄用水供給ホース１０１が連結されるワンタッチカップリング１７が設置されている。
そして、水桶着座支持部１５に設置されたヒーター部１１には、過熱防止用バイメタル１８が連結されており、洗浄用水桶本体外皮８の内部には、ろ過水桶１０のろ過フィルター９を通って供給される水中の有害菌を殺菌するように銀メッキされた洗浄用水桶本体１９が装着されている。
したがって、公知の洗浄機１００に供給すべき洗浄用水を、ろ過フィルター９で１次ろ過した後、９９．９％銀がメッキされた洗浄用水桶本体１９で有害菌を殺菌処理し、人体に最も適合する水温（約３８℃）に維持することができる。
このとき、水温の調節は、温度計器盤７の温度調節スイッチ６の左右ボタンを用いて行い、水量は、水位センサー１２と水位確認窓１６によって確認する。したがって、水が切れると、これを水位センサー１２が感知し、ヒーター部１１の加熱が自動でオフされる。
また、ヒーター部１１を備えた水桶着座支持部１５は、洗浄用水桶本体外皮８の下部に設置されるもので、不燃素材からなる。
【０００８】
次に、図６に示すように、洗浄用水桶１に洗浄用水供給ホース１０１を介して連結される洗浄機１００は、洗浄用水供給胴体１０６のフランジ１０７に一体に連結され、ノズル注入部１０３は、洗浄用水供給胴体１０６に連結される洗浄用水供給ホース１０１の末端に連結されているが、この洗浄用水供給胴体１０６の流入通路１０９と連通する洗浄用水流出通路１１０の下部側に手動エアポンプ１０２が装着されている。
ここで、手動エアポンプ１０２は、シャットガン（Ｓｈｕｔ  ｇｕｎ）の取っ手形態となっている。
また、ノズル注入部１０３は、肛門や膣内部に挿入されて汚染し易いため、洗浄用水供給ホース１０１から分離して交換可能なようにスクリュー結合方式で連結される。また、図７の（Ａ）及び（Ｂ）に示すように、ノズル注入部１０３の先端には、洗浄用水を供給する複数の穴１０３ａが形成され、洗浄用水の效果的な噴射を図っている。
また、洗浄用水供給胴体１０６の内部には第１及び第２チェックバルブ１１１、１１２が装着されており、矢印方向に供給された洗浄用水が逆流するのを防止している。
【０００９】
次に、図４及び図５を参照して本考案の使用動作を説明する。
まず、洗浄機１００から延びる洗浄用水供給ホース１０１を、洗浄用水桶本体外皮８の下部に設置された水桶着座支持部１５のドレイン通路１４に連結させる。この際、洗浄用水供給ホース１０１はドレイン通路１４とワンタッチカップリング１７を介して軽く連結する。
その後、電源コード２０を電源に接続させた後、ろ過水桶１０で供給された水を適当な温度に調節した後、洗浄機１００の手動エアポンプ１０２を調節してノズル注入部３から洗浄用水を大腸内部または膣内部に供給する。
ここで、未説明符号１０４は、流量調節器である。
【図面の簡単な説明】
【００１０】
【図１】本考案による洗浄用水桶の蓋を開き、ろ過水桶を引き揚げた状態を示す側面図である。
【図２】図１のＩ−Ｉ線断面図である。
【図３】図１においてろ過水桶を除去した状態を示す平面図である。
【図４】本考案の使用状態を示す図である。
【図５】図４のＩＩ−ＩＩ線断面図である。
【図６】本考案による洗浄用水桶に連結される洗浄機の拡大断面図である。
【図７】洗浄機のノズル注入部の実施例を示す図である。
【符号の説明】
【００１１】
１  洗浄用水桶、２  ヒンジ軸、３  蓋、４  取っ手用溝、５  電源、６  温度調節スイッチ、７  温度計器盤、８  洗浄用水桶本体外皮、９  ろ過フィルター、１０  ろ過水桶、１１  ヒーター部、１２  水位センサー、１３  温度センサー、１４  洗浄用水ドレイン通路、１５  水桶着座支持部、１６  水位確認窓、１７  ワンタッチカップリング、１８  バイメタル、１９  洗浄用水桶本体、１００  洗浄機
【図１】
0003124267.tif 000003
【図２】
0003124267.tif 000004
【図３】
0003124267.tif 000005
【図４】
0003124267.tif 000006
【図５】
0003124267.tif 000007
【図６】
0003124267.tif 000008
【図７】
0003124267.tif 000009